(57)【要約】【課題】実際に移動したルートを確実に表示する。【解決手段】アルバム一覧フレーム６１には、撮影位置情報が関連付けされている画像データを任意に分類したフォルダが一覧表示されている。地図表示フレーム６３には、地図が表示される。ログファイル一覧フレーム６２には、定期的に取得した複数の位置情報を時系列に記録するログファイルが表示される。アルバム一覧フレーム６１から任意のフォルダを選択すると、フォルダに分類した画像データを撮影したポイントを表す指標画像が地図上に表示される。ログファイル一覧フレーム６２から任意のログファイルを選択すると、そのログファイルに記載の位置情報を時系列にプロットした軌跡線８５が地図上に表示される。【選択図】図５
2013065165.tif 000002
【特許請求の範囲】
【請求項１】
撮影位置情報が関連付けられている画像データ、又は画像データを分類したフォルダを一覧表示するための画像一覧表示部と、
定期的に取得した複数の位置情報を時系列に記録するログファイルを一覧表示するためのログファイル一覧表示部と、
前記ログファイル一覧表示部に表示されるログファイルからいずれかを選択するためのログ選択指示手段と、
前記画像一覧表示部に表示される画像データ又はフォルダからいずれかを選択するための画像選択指示手段と、
選択したログファイルに記録の軌跡情報と、選択した画像データ又はフォルダに分類した画像データに関連付けられた撮影位置情報との少なくともいずれかに応じた位置が含まれる範囲の地図を表示する地図表示部と、
選択したログファイルに記録の軌跡情報に応じて移動ルートを表す軌跡線を地図上に表示する軌跡表示手段と、
選択した画像データ、又はフォルダに分類した画像データに関連付けした撮影位置情報に応じて撮影ポイントを表す指標画像を地図上に表示する撮影位置表示手段と、
を備えたことを特徴とする画像表示装置。
【請求項２】
請求項１に記載の画像表示装置において、
前記指標画像は、対応する画像データがリンク付けされているサムネイル画像になっていることを特徴とする画像表示装置。
【請求項３】
請求項１又は２に記載の画像表示装置において、
前記指標画像には、影画像が付与されていることを特徴とする画像表示装置。
【請求項４】
撮影位置情報が関連付けられている画像データ、又は画像データを分類したフォルダを一覧表示するための画像一覧表示ステップと、
定期的に取得した複数の位置情報を時系列に記録するログファイルを一覧表示するためのログファイル一覧表示ステップと、
前記ログファイル一覧表示に表示されるログファイルからいずれかを選択するためのログ選択指示ステップと、
前記画像一覧表示に表示される画像データ又はフォルダからいずれかを選択するための画像選択指示ステップと、
選択したログファイルに記録の軌跡情報と、選択した画像データ又はフォルダに分類した画像データに関連付けられた撮影位置情報との少なくともいずれかに応じた位置が含まれる範囲の地図を表示する地図表示ステップと、
選択したログファイルに記録の軌跡情報に応じて移動ルートを表す軌跡線を地図上に表示する軌跡表示ステップと、
選択した画像データ、又はフォルダに分類した画像データに付与した撮影位置情報に応じて撮影ポイントを表す指標画像を地図上に表示する撮影位置表示ステップと、
を含むことを特徴とする画像表示方法。
【請求項５】
コンピュータを、
撮影位置情報が関連付けられている画像データ、又は画像データを分類したフォルダを一覧表示するための画像一覧表示手段と、
定期的に取得した複数の位置情報を時系列に記録するログファイルを一覧表示するためのログファイル一覧表示手段と、
前記ログファイル一覧表示に表示されるログファイルからいずれかを選択するためのログ選択指示手段と、
前記画像一覧表示に表示される画像データ又はフォルダからいずれかを選択するための画像選択指示手段と、
選択したログファイルに記録の軌跡情報と、選択した画像データ、又はフォルダに分類した画像データに関連付けられた撮影位置情報との少なくともいずれかに応じた位置が含まれる範囲の地図を表示する地図表示手段と、
選択したログファイルに記録の軌跡情報に応じて移動ルートを表す軌跡線を地図上に表示する軌跡表示手段と、
選択した画像データ、又はフォルダに分類した画像データに付与した撮影位置情報に応じて撮影ポイントを表す指標画像を地図上に表示する撮影位置表示手段として機能させるための画像表示プログラム。
【請求項６】
ｗｅｂページの閲覧を要求するとともに、定期的に取得した複数の位置情報を時系列で記録するログファイルと、撮影時の位置情報を関連付けした画像ファイルとを個別にアップロードするための端末と、
ネットワークを介して前記携帯端末と接続され、前記ログファイルと画像ファイルとを格納する記憶手段を有し、前記ログファイルの一覧、及び前記画像ファイルの一覧を、当該ｗｅｂページを構成するページ画面上にそれぞれ表示するためのデータと、前記ページ画面上に地図を表示するための地図データと、前記ログファイルを選択するための操作指示が入力できるＵＩを表示するためのログ選択ＵＩ表示用データと、画像ファイルを選択するための操作指示が入力できる画像選択ＵＩを表示するためのＵＩ表示用データと、前記端末からのログファイル表示要求、及び画像ファイルに関連付けされた撮影位置の表示要求に応じて、前記地図上に移動ルートである軌跡線と撮影ポイントを表す指標画像とを個別に表示するためのデータと、を要求元の前記端末に配信するサーバと、
を備えていることを特徴とする画像表示システム。
【発明の詳細な説明】
【技術分野】
【０００１】
本発明は、画像表示方法及び装置、画像表示プログラム、並びに画像表示システムに関するものである。
【背景技術】
【０００２】
従来、撮像が行われた地理的な位置を示す位置データを撮像ポイントとして画像データに対応付けて記憶する画像表示装置が知られている（特許文献１）。この画像表示装置においては、表示部に表示した地図上に画像の撮像ポイント及び移動ルートを表示する。
【先行技術文献】
【特許文献】
【０００３】
【特許文献１】特開２００６−８５５８８号公報
【発明の概要】
【発明が解決しようとする課題】
【０００４】
しかし、特許文献１に記載の発明では、撮影枚数が少ないため、移動ルートを表示しても、少ない撮影ポイントを直線的に辿った簡略的なルートで表示されてしまう。この場合、実際に移動したルートとは異なる結果で表示されてしまう。
【０００５】
本発明は、上記事情に鑑みてなされたものであり、実際に移動したルートを確実に表示することができる画像表示方法及び装置、画像表示プログラム、並びに画像表示システムを提供することを目的とする。
【課題を解決するための手段】
【０００６】
本発明を例示する画像表示装置の一態様は、撮影位置情報が関連付けられている画像データ又は画像データを分類したフォルダを一覧表示するための画像一覧表示部と、定期的に取得した複数の位置情報を時系列に記録するログファイルを一覧表示するためのログファイル一覧表示部と、ログファイル一覧表示部に表示されるログファイルからいずれかを選択するためのログ選択指示手段と、画像一覧表示部に表示される画像データ又はフォルダからいずれかを選択するための画像選択指示手段と、選択したログファイルに記録の軌跡情報と選択した画像データ又はフォルダに分類した画像データに関連付けされた撮影位置情報との少なくともいずれかに応じた位置が含まれる範囲の地図を表示する地図表示部と、選択したログファイルに記録の軌跡情報に応じて移動ルートを表す軌跡線を地図上に表示する軌跡表示手段と、選択した画像データ又はフォルダに分類した画像データに関連付けした撮影位置情報に応じて撮影ポイントを表す指標画像を地図上に表示する撮影位置表示手段と、を備えたものである。
【発明の効果】
【０００７】
本発明によれば、実際に移動したルートを確実に表示することができる。
【図面の簡単な説明】
【０００８】
【図１】本発明を用いる一実施形態である電子アルバム提供システムの概略を示す説明図である。
【図２】電子カメラの概略を示すブロック図である。
【図３】アルバム提供サーバの概略を示すブロック図である。
【図４】アルバム一覧、ログファイル一覧、及び指標画像を表示したｗｅｂページを示す説明図である。
【図５】ログファイルに対応した軌跡線を図４で説明した地図上に表示した状態を示す説明図である。
【発明を実施するための最良の形態】
【０００９】
本発明の一態様を例示する電子アルバム提供システム１０は、図１に示すように、アルバム提供サーバシステム１１、パーソナルコンピュータ（ＰＣ）１２、電子カメラ１３、及びＧＰＳ受信装置（測位装置）１４等で構成されている。アルバム提供サーバシステム１１とＰＣ１２とは、それぞれ公衆ネットワークであるインターネット１５に接続可能に構成されており、インターネット１５を介して相互に通信を行うことができる。電子カメラ１３は、ＧＰＳ受信機を内蔵しており、ＵＳＢ等のインターフェースによる有線接続、又はblue tooth（登録商標）等の無線接続を利用して、ＰＣ１２に対して画像データや、位置情報の履歴を記載するログファイルを送る。ＧＰＳ受信装置１４は、ＧＰＳ衛星１６から位置情報を定期的に取得し、ＵＳＢ等のインターフェースによる有線接続、又はblue tooth等の無線接続を利用して、ＰＣ１２に対してログファイルを送る。
【００１０】
ＰＣ１２は、インターネット１５に接続するための通信部、ＩＦを介して外部機器との間で有線又は無線接続する外部接続部を有し、また、ｗｅｂページを閲覧するためのｗｅｂブラウザをインストールしてある。
アルバム提供サーバシステム１１は、地図データベース（ＤＢ）１７、認証サーバ１８、ｗｗｗサーバ１９、メールサーバ２０、アルバム提供サーバ２１等で構成されている。
【００１１】
地図ＤＢ１７は、地図情報を記憶するデータベースである。ｗｗｗサーバ１９は、インターネット１５を介してＰＣ１２等のインターネット接続機能を有する機器にこのシステムが提供するサービスを受けるためのｗｅｂ画面を提供するサーバである。なお、サービスは、ｗｅｂ画面上で、複数の画像データをフォルダに分類して蓄積して思い出のアルバムを作成する以外に、作成したアルバムに含まれる画像データを撮影したポイントや、その時の経路である移動ルートを地図上に表示するためのサービスである。認証サーバ１８は、ＰＣ１２の識別情報に基づいて認証手続きを行うとともに、認証されたＰＣ１２毎にアルバム提供サービスの閲覧、及び編集を許可する。メールサーバ２０は、ｗｅｂ画面を共有する第三者にＵＲＬのリンクを記載したメールを送信するためのサーバである。
【００１２】
電子カメラ１３は、図２に示すように、撮像部２２、記録部２３、保存部２４、操作部２５、ログファイル生成部２６、ＧＰＳ受信機（測位部）２７、及び外部接続部２８を備え、これらはバス２９により接続されている。撮像部２２は、撮影レンズ、撮像センサ、アナログ・フロントエンド（ＡＦＥ）、及び信号処理プロセッサ（ＤＳＰ）を備える。撮像センサは、シャッタレリーズに応答して撮影レンズにより結像される被写体像を撮像して画像信号を出力する。ＡＦＥは、画像信号をデジタル信号に変換し、ＤＳＰは、デジタルの画像信号をＹＵＶ信号に変換する。記録部２３は、ＹＵＶ信号を、例えばＪＰＥＧ形式で圧縮し、圧縮した画像データを内蔵メモリ、又は着脱可能なカードメモリ等の保存部２４に保存する。操作部２５は、シャッタボタン３６、オート測位モードとマニュアル測位モードとを選択するモード選択部３０、測位開始操作部３１、及び測位終了操作部３２等で構成されている。外部接続部２８は、ＩＦ３６を介して外部接続機器を有線又は無線で接続する。
【００１３】
ＧＰＳ受信機２７は、アンテナ３３、ＧＰＳ測位部３４、及び時刻生成部３５で構成され、経緯度の数値情報で与えられる位置情報（その時点の日時情報を含む）をＧＰＳ衛星１６から取得する。ログファイル生成部２６は、ＧＰＳ受信機２７で定期的に取得する位置情報を時系列的に記録するログファイルを生成する。ログファイルは、日付、時刻、経度、及び緯度からなる組を時系列に記録した履歴であり、保存部２４に保存される。
【００１４】
ログファイル生成部２６は、オート測位モードが選択されると、その選択時点から所定時間、例えば４８時間が経過する毎に一つのログファイルを生成し、また、マニュアル測位モードが選択される時には、測位終了操作部３２の操作が行われる毎に一つのログファイルを生成していく。また、記録部２３は、シャッタレリーズに応答して生成される画像データに、その撮影時、又は撮影直後に取得した位置情報を、例えばＥｘｉｆ等の付加情報として付与した形態で保存する。
【００１５】
アルバム提供サーバ２１は、図３に示すように、要求部３７、画像ファイル保存部３８、ログファイル保存部３９、アルバム作成部４０、アルバム一覧表示部４１、ログファイル一覧表示部４２、ログ選択指示部４３、画像選択指示部４４、地図表示部４５、軌跡表示部４６、撮影位置表示部４７、選択画像表示部４８、ｗｅｂページ生成部４９、配信部５０、及び通信部５３等で構成されており、これらはバス５４により接続されている。通信部５３は、インターネット１５、地図データベース（ＤＢ）１７、認証サーバ１８、ｗｗｗサーバ１９、及びメールサーバ２０との間でデータの授受を行う。
【００１６】
要求部３７は、ＰＣ１２から送られてくる要求を受け付け、要求に応じて各部３８〜４９を制御する。画像ファイル保存部３８は、ＰＣ１２からアップロードされる画像ファイルを識別情報毎に保存する。ログファイル保存部３９は、ＰＣ１２からアップロードされるログファイルを識別情報毎に保存する。
【００１７】
アルバム作成部４０は、保存した画像データを任意のフォルダに分類したり、そのフォルダの名前を編集したり、各画像データにコメントを付ける等の処理を行うためのＵＩ（ユーザーインターフェース）を構築するためのＵＩ情報を生成する。
【００１８】
アルバム一覧表示部４１は、保存されている画像データのファイル名、及びフォルダ名を一覧表示するためのアルバム一覧情報を生成する。ログファイル一覧表示部４２は、保存したログファイルを一覧表示するためのログファイル一覧情報を生成する。選択画像表示部４８は、選択された画像データのサムネイル画像を表示するためのサムネイル表示情報を生成する。
【００１９】
ログ選択指示部４３は、ログファイル一覧表示に表示されるログファイルのうちのいずれか（複数を含む）を選択するためのＵＩ（ユーザーインターフェース）を構築するためのＵＩ情報を生成する。画像選択指示部４４は、画像一覧表示に表示される画像データ、又はフォルダのうちのいずれか（複数を含む）を選択するためのＵＩ（ユーザーインターフェース）を構築するためのＵＩ情報を生成する。
【００２０】
地図表示部４５は、選択されたログファイルに記録した複数の位置情報と、選択された画像データ又はフォルダに分類した画像データに関連付けされた位置情報との少なくともいずれかが含まれる範囲（尺度）の地図を表示するための地図情報を生成する。軌跡表示部４６は、ログファイルに記録された複数の位置情報の軌跡を表す軌跡線を前記地図上に表示するための軌跡情報を生成する。撮影位置表示部４７は、選択された画像データ又はフォルダに分類した画像データに関連付けされた位置情報に基づいて撮影ポイントを表す指標画像を前記地図上に表示するための撮影位置指標情報を生成する。
【００２１】
ｗｅｂページ生成部４９は、アルバム一覧表示フレーム、ログファイル一覧表示フレーム、地図表示フレーム、及びサムネイル表示フレームを生成し、画像一覧表示フレームにアルバム一覧情報が、ログファイル一覧表示フレームにログファイル一覧情報が、サムネイル表示フレームにサムネイル表示情報が、地図表示フレームに地図情報がそれぞれ対応付けして表示されるように、また、地図上に軌跡情報と撮影位置指標情報とが表示されるように構築したページ情報と各ＵＩ情報とから構成されるｗｅｂページを生成する。配信部５０は、生成したｗｅｂページを要求元のＰＣに配信する。共有指示部５１は、その時点に作成したｗｅｂページを第三者に閲覧させるための共有情報を生成する。
【００２２】
次に上記構成の作用を説明する。ｗｅｂ上でアルバムを作成するには、まず、撮影情報が関連付けされた画像データや、複数の位置情報を記録したログファイルを用意する。これらは、ＧＰＳ受信機を内蔵する電子カメラ１３や、ＧＰＳ受信装置１４等から取得する。そして、これら画像データやログファイルをＰＣ１２に送って保存しておく。
【００２３】
ＰＣ１２では、ｗｅｂブラウザを起動して予め決められているアルバム提供サーバシステム１１内のｗｗｗサーバ１９にアクセスして、ログイン画面を表示する。ログイン画面では、利用者がユーザーＩＤとパスワードを入力する。認証されると、利用者のアルバム作成画面のｗｅｂページが表示される。
【００２４】
ｗｅｂページは、図４に示すように、一つのウィンドウ６０を複数のフレーム６１〜６４に区切ってそれぞれに別々の内容を表示している。フレームは、大別してアルバム一覧表示フレーム６１、ログファイル一覧表示フレーム６２、地図表示フレーム６３、及びサムネイル表示フレーム６４で構成される。
【００２５】
アルバム一覧表示フレーム６１には、アップロードボタン６５や、フォルダ追加用アイコン６６、削除用アイコン６７等が表示されるとともに、フォルダ（アルバム又はイベント）６８の一覧が表示されている。アップロードボタン６５は、ＰＣ１２に記憶した画像データ（ファイル）をアップロードするためのボタンである。アップロードした画像ファイルは、アルバム一覧表示フレーム６１に表示される。フォルダ追加用アイコン６６は、新たなフォルダを作成するためのものである。画像ファイルは、マウス操作によりドラッグ・アンド・ドロップをすることでフォルダ６８の中に分類されていく。また、フォルダ６８、あるいはファイル名６９の変更は、フォルダ６８、又はファイル名を選択してマウスの右ボタンをクリックすることで表示されるテキストボックスに新たな名前をキーボードから入力することで行える。このようにして、アルバム一覧表示フレーム６１では、アルバムの作成、及び編集、並びに削除等が行える。
【００２６】
地図表示フレーム６３には、地図ＤＢ１７から取得した地図が表示される。地図は、選択されたログファイルに記録した複数の位置情報と、選択された画像データ又はフォルダに分類されている複数の画像ファイルに関連付けされた位置情報とのいずれか一方、又は両方に応じた全ての位置情報が含まれる範囲（尺度）で表示される。
【００２７】
本実施形態では、選択した画像データ、又はフォルダに分類されている複数の画像ファイルに関連付けされた位置情報のうち、全ての位置情報が含まれる範囲で地図を表示している。なお、いずれか一方の位置情報のうち、全ての位置情報が含まれる範囲で地図を表示することに限らず、全ての位置情報のうち、例えば近隣に纏まった一部の位置情報が含まれる範囲で表示してもよい。
【００２８】
アルバム一覧表示フレーム６１に表示されるフォルダ６８は、フォルダ名７０に加えて、フォルダアイコン７１と、分類されている画像ファイルの個数を表す括弧付き数字７２とが表示されている。フォルダアイコン７１をクリックすると、位置表示マークが付いたアイコン７３に代わり、かつそのフォルダ６８内に分類されている全ての画像ファイルに関連付けされた位置情報に応じた地図上の位置に、撮影ポイントを表す指標画像７５が表示される。指標画像７５は、位置情報に対応する画像データのサムネイル画像７６となっている。サムネイル画像７６には、疑似３Ｄ表示になるように、影画像７７が付与されている。
【００２９】
サムネイル画像７６は、分類されているフォルダの中で最も古い日時（スタート地点）のサムネイル画像７８が大きなサイズで表示される。サムネイル画像７６、７８は、画像データとリンク付けされており、サムネイル画像７６，７８をマウスでクリックすると、サムネイル画像に対応する画像ファイルが読み出されて、その画像が別ウィンドウに大サイズで表示される。
【００３０】
また、アルバム一覧表示フレーム６１に一覧表示されているフォルダ６８をクリックすることで、その中に分類されている画像ファイルのサムネイル画像７９がサムネイル表示フレーム６４に一覧表示される。
【００３１】
ログファイル一覧表示フレーム６２には、アップロード用アイコン８０や、削除用アイコン８１等が表示されるとともに、アップロードしたログファイルの全てのファイル名を記載したログファイル一覧表８２が表示される。アップロード用アイコン８０は、ＰＣ１２に記憶したログファイルをアップロードするためのものである。アップロードされたログファイルは、直ちに一覧表８２に登録される。なお、ログファイル一覧表示フレーム６２には、ログファイル一覧表８２の表示をオフする「×ボタン」８３が表示され、また、そのフレーム６２外には、ログファイル一覧表８２を表示するためのログ表示用アイコン８４が表示されている。
【００３２】
ログファイル一覧表８２には、アップロードしたログファイルに対応する項目８７が表示される。項目８７は、チェックボックス８６、「タイトル」、「地名」、「開始日時」、「終了日時」、「アップロード日時」、及び「ファイル名」等で構成されている。
【００３３】
チェックボックス８６は、移動ルートである軌跡線８５を地図上に表示する時にマウスでクリックするためのものである。所望するログファイルのチェックボックス８６をマウスでクリックしてチェックボックス８６をオンして選択することで、図５に示すように、軌跡線８５が地図上に表示される。軌跡線８５は、選択したログファイルに記録の全ての位置情報に応じた地図上の位置を時系列で辿った線であり、ログファイル毎に個別に表示することができる。なお、図５では、符号８６ａで示すように、「レ」のチェックがチェックボックス８６に入っている状態が、軌跡線８５の表示をしており、また符号８６ｂで示すように、「レ」のチェックが無く、チェックボックス８６が空の状態が軌跡線８５の表示をオフした状態である。
【００３４】
「タイトル」は、アップロードをする時、又はその後に利用者が任意に入力することで決められる。「地名」は、ログファイルに記載の複数の位置情報から地図を検索して全ての位置情報を含む範囲の代表的な地名を自動的に検索して表示する。なお、利用者が任意に入力するようにしてもよい。「開始日時」、及び「終了日時」は、ログファイルに記載の複数の位置情報から、一番古い時刻、及び一番新しい時刻を抽出することで表示される。
【００３５】
アルバム一覧表示フレーム６１の下には、「アルバムを共有」ボタン８８が表示されている。「アルバムを共有」ボタン８８をマウスでクリックすることで、その時点の表示状態を保ったアルバムの閲覧を第三者と共有することができる。具体的には、共有ボタン８８のクリックに応答して別ウィンドウで表示されるテキストボックスに、共有者のメールアドレスを入力することで、ＵＲＬを記載したメールが共有者に送られる。ＵＲＬは、その時点の表示状態を保った画面を表示するためのｗｅｂページを保存したアドレスである。共有者は、メールに記載のＵＲＬを開くことで、ｗｅｂブラウザが起動して、利用者が予め決めた表示状態のｗｅｂ画面を閲覧することができる。このとき、共有者に画像を閲覧させるために共有設定したフォルダ６８には、メール用アイコン９０が表示される。なお、予め共有者のメールアドレスを入力するための操作部を表示しておき、共有ボタン８８をクリックすることで、予め登録した共有者にＵＲＬ付きメールを送るように構成してもよい。最後に、「ログアウトボタン」８９をクリックすることで、アルバム作成作業が終了する。
【００３６】
このように、アルバとログファイルとの一覧表を別々に表示・選択可能に構成して、指標画像と軌跡線との表示を個別に表示することができるように構成したから、旅行に行ったけどほとんどの場所で撮影するのを忘れてしまって撮影画像が少ない場合、これら撮影画像に関連付けされた位置情報だけでは、移動ルートが簡略化されてしまうのに対し、定期的に取得したログファイルを併用することで、正確な移動ルートを地図上に表示することができる。また、ＧＰＳ受信装置１４から取得されるログファイルのみを利用して軌跡線８５を個別に地図上に表示させることができる。
【００３７】
また、本発明では、単独で動作するＧＰＳ受信装置１４等の測位装置で取得した軌跡情報、又は撮影位置情報を付与した画像データのみを個別に地図上に表示することができる。つまり、本発明は、全く関連のない軌跡情報と撮影位置情報とに応じた軌跡線と指標画像とを個別に表示することができる。
【００３８】
上記実施形態では、ウィンドウ６０を複数のフレーム６１~６４で仕切ってアルバム画面を構成しているが、本発明ではこれにかぎらず、子ウィンドウに地図やログファイル一覧表を個別に表示して、親ウィンドウ６０の中にこれら子ウィンドウを同時に表示した構成としてもよい。
【００３９】
上記各実施形態では、ＰＣ１２で閲覧しているが、スマートフォンやタブレット型の携帯端末や、携帯電話機で閲覧してもよい。また、電子カメラ１３の代わりに、ＧＰＳ受信機を内蔵のカメラ付き携帯電話を利用してもよい。
【００４０】
上記各実施形態では、ウィンドウ６０を構成する各フレーム６１〜６４の配置を、図４及び図５で説明した配置としているが、本発明ではこれに限らない。
【００４１】
上記各実施形態では、インターネットを利用して軌跡画像や指標画像を地図上に表示することができるアルバムを提供するサービスとして説明しているが、インターネットを利用せずに、本発明の処理を実行可能なプログラムがインストールされたコンピュータで前記アルバムを作成するようにしてもよい。この場合、地図ＤＢは、プログラムと一緒にコンピュータにインストールするのが好適である。なお、インターネットを介して地図ＤＢから取得するようにしてもよい。また、前記アルバムを作成する処理を実行可能なプログラムが記憶されたＣＤ−ＲＯＭ等の記録媒体を利用者に頒布することで、利用者の所有する端末内で、前述したアルバムの作成の処理を実行させるように構成してもよい。
【符号の説明】
【００４２】
１０  電子アルバム提供サービス
２１  アルバム提供サーバ
６０  ウィンドウ
６１  アルバム一覧表示フレーム
６２  ログファイル一覧表示フレーム
６３  地図表示フレーム
６４  サムネイル表示フレーム
８５  軌跡線
【図１】
2013065165.tif 000003
【図２】
2013065165.tif 000004
【図３】
2013065165.tif 000005
【図４】
2013065165.tif 000006
【図５】
2013065165.tif 000007